(57)【要約】【課題】インペラ部材のアンバランスやモータの磁気回路等に起因する振動がインペラ部材からモータケースに伝わることを低減することができ、更にインペラ部材の流出口側への変位量を小さく抑えることができる流体ポンプ装置を提供する。【解決手段】流体ポンプ装置は、モータの駆動力が非接触にてインペラ部材に伝達され、モータケースのポンプ室内でインペラ部材が回転するとポンプ室内に引き込まれた流体がポンプ室の周方向一部に形成された流出口を介して外部に排出される。インペラ部材は、自身を回転可能に支持するインペラシャフト６の両端側がモータ側及びポンプ側弾性リング部材７，８を介してモータケースのモータ側及びポンプ側保持部１ｇ，３ｈに内嵌されることで、モータケースに対してフロート支持される。モータ側及びポンプ側弾性リング部材７，８が有する断面肉厚部７ｂ，８ｂは、インペラシャフト６と流出口との間に配置される。【選択図】図３
2008115785.tif 000002
【特許請求の範囲】
【請求項１】
モータケース内に、モータとインペラ部材とが収容され、前記モータの駆動力が非接触にて前記インペラ部材に伝達され、前記モータケースに形成されたポンプ室内で前記インペラ部材が回転することで前記ポンプ室内に引き込まれた流体が同ポンプ室の周方向一部に形成された流出口を介して外部に排出される流体ポンプ装置において、
前記インペラ部材は、前記モータケースに対して、径方向の前記流出口方向に変位し難くなるように、フロート支持されたことを特徴とする流体ポンプ装置。
【請求項２】
請求項１に記載の流体ポンプ装置において、
前記インペラ部材は、前記インペラ部材を回転可能に支持するインペラシャフトが弾性部材を介して前記モータケースに固定されることで、前記モータケースに対してフロート支持され、
前記弾性部材は、前記インペラシャフトと前記流出口との間で弾性変形し難くなるように配設されたことを特徴とする流体ポンプ装置。
【請求項３】
請求項２に記載の流体ポンプ装置において、
前記モータケースには、内周面が円形の保持部が形成され、
前記インペラシャフトは、円柱状に形成され、
前記弾性部材は、周方向の一部に肉厚部を有する環状に形成され、その肉厚部が前記インペラシャフトと前記流出口との間に配置されるように、前記保持部に内嵌され且つ前記インペラシャフトに外嵌されて径方向に圧縮された状態で保持されたことを特徴とする流体ポンプ装置。
【請求項４】
請求項３に記載の流体ポンプ装置において、
前記弾性部材は、断面円形の弾性リング部材であって、前記肉厚部はその断面の直径が大きくされてなる断面肉厚部であることを特徴とする流体ポンプ装置。
【請求項５】
請求項３に記載の流体ポンプ装置において、
前記弾性部材は、その外周に周方向に複数の突出部を有する略円筒状の弾性円筒部材であって、前記肉厚部は、周方向の一部の前記突出部が大きくされてなる突出肉厚部であることを特徴とする流体ポンプ装置。
【請求項６】
請求項２に記載の流体ポンプ装置において、
前記モータケースには、内周面が略円形の保持部が形成され、
前記インペラシャフトは、略円柱状に形成され、
前記弾性部材は、周方向に均等な形状の環状に形成され、前記保持部に内嵌され且つ前記インペラシャフトに外嵌されて径方向に圧縮された状態で保持され、
前記保持部の内周面及び前記インペラシャフトの外周面の少なくとも一方における径方向の前記流出口側には、径方向に延びる凸設部が形成されたことを特徴とする流体ポンプ装置。
【発明の詳細な説明】
【技術分野】
【０００１】
本発明は、モータの回転力が非接触にてインペラ部材に伝達される流体ポンプ装置に関するものである。
【背景技術】
【０００２】
従来、流体ポンプ装置としては、モータケース内に、モータとインペラ部材とが収容され、モータの駆動力が非接触にてインペラ部材に伝達され、モータケースに形成されたポンプ室内でインペラ部材が回転することでポンプ室内に引き込まれた流体が同ポンプ室の周方向一部に形成された流出口を介して外部に排出されるものがある。そして、このような流体ポンプ装置としては、例えば、インペラ部材を回転可能に支持するインペラシャフトが弾性部材を介してモータケースに固定され、インペラ部材がモータケースに対してフロート支持されたものがある（例えば、特許文献１参照）。このような流体ポンプ装置では、インペラ部材がモータケースに対してフロート支持されることで、インペラ部材のアンバランスやモータの磁気回路等に起因する振動がインペラ部材からモータケースに伝わることが低減される。よって、例えば、この流体ポンプ装置を備えた車両において振動に基づく室内の騒音等を低減することができる。
【特許文献１】特開２００５−３２０９５４号公報
【発明の開示】
【発明が解決しようとする課題】
【０００３】
ところで、上記のような流体ポンプ装置では、駆動中に、流出口に向かう流体と共に流出口方向に向かう力がインペラ部材（インペラシャフト）にかかることになる。すると、インペラ部材（インペラシャフト）は、モータケースに対してフロート支持されていることから、（弾性部材を大きく圧縮しながら）流出口方向に大きく変位してしまうという問題がある。このことは、インペラ部材がモータケース（ポンプ室の内壁）に接触してしまう原因となり、ひいては、そのことに起因する騒音（摺動音や衝突音）を発生させる原因となる。更に、インペラ部材の変形や破損の原因ともなる。
【０００４】
本発明は、上記問題点を解決するためになされたものであって、その目的は、インペラ部材のアンバランスやモータの磁気回路等に起因する振動がインペラ部材からモータケースに伝わることを低減することができ、更にインペラ部材の流出口側への変位量を小さく抑えることができる流体ポンプ装置を提供することにある。
【課題を解決するための手段】
【０００５】
請求項１に記載の発明では、モータケース内に、モータとインペラ部材とが収容され、前記モータの駆動力が非接触にて前記インペラ部材に伝達され、前記モータケースに形成されたポンプ室内で前記インペラ部材が回転することで前記ポンプ室内に引き込まれた流体が同ポンプ室の周方向一部に形成された流出口を介して外部に排出される流体ポンプ装置において、前記インペラ部材は、前記モータケースに対して、径方向の前記流出口方向に変位し難くなるように、フロート支持された。
【０００６】
同構成によれば、インペラ部材はモータケースに対してフロート支持されるため、インペラ部材のアンバランスやモータの磁気回路等に起因する振動がインペラ部材からモータケースに伝わることが低減される。よって、例えば、この流体ポンプ装置を備えた車両において振動に基づく室内の騒音等を低減することができる。しかも、インペラ部材は、フロート支持されることで径方向への僅かな変位が許容されることになるが、径方向の流出口方向に変位し難くなるようにフロート支持されるため、駆動中に、流出口に向かう流体と共に流出口側に向かう力がかかっても、例えば、変位し易さが周方向に均等な場合に比べて、流出口側への変位量が小さく抑えられる。よって、インペラ部材がモータケース（ポンプ室の内壁）に接触してしまうことを低減することができ、ひいては、そのことに起因する騒音（摺動音や衝突音）をも低減することができる。更に、インペラ部材のモータケースへの接触に基づく変形や破損をも低減することができる。
【０００７】
請求項２に記載の発明では、請求項１に記載の流体ポンプ装置において、前記インペラ部材は、前記インペラ部材を回転可能に支持するインペラシャフトが弾性部材を介して前記モータケースに固定されることで、前記モータケースに対してフロート支持され、前記弾性部材は、前記インペラシャフトと前記流出口との間で弾性変形し難くなるように配設された。
【０００８】
同構成によれば、インペラ部材のアンバランスやモータの磁気回路等に起因する振動がインペラ部材を回転可能に支持するインペラシャフトからモータケースに伝わることが弾性部材によって低減される。そして、弾性部材は、インペラシャフトと流出口との間で弾性変形し難くなるように配設されるため、インペラ部材は、インペラシャフトと共に径方向の流出口方向に変位し難くなる。よって、請求項１に記載の発明の効果を得ることができる。
【０００９】
請求項３に記載の発明では、請求項２に記載の流体ポンプ装置において、前記モータケースには、内周面が円形の保持部が形成され、前記インペラシャフトは、円柱状に形成され、前記弾性部材は、周方向の一部に肉厚部を有する環状に形成され、その肉厚部が前記インペラシャフトと前記流出口との間に配置されるように、前記保持部に内嵌され且つ前記インペラシャフトに外嵌されて径方向に圧縮された状態で保持された。
【００１０】
同構成によれば、弾性部材は、周方向の一部に肉厚部を有する環状に形成され、その肉厚部がインペラシャフトと流出口との間に配置されるように、内周面が円形とされた保持部に内嵌され且つ円柱状のインペラシャフトに外嵌されて径方向に圧縮された状態で保持されるため、インペラシャフトと流出口との間で弾性変形し難くなる。よって、保持部やインペラシャフトを単純な形状としながら請求項２に記載の発明の効果を得ることができる。
【００１１】
請求項４に記載の発明では、請求項３に記載の流体ポンプ装置において、前記弾性部材は、断面円形の弾性リング部材であって、前記肉厚部はその断面の直径が大きくされてなる断面肉厚部である。
【００１２】
同構成によれば、弾性部材は、断面円形の弾性リング部材であって、肉厚部はその断面の直径が大きくされてなる断面肉厚部であるため、簡単な形状の弾性部材としながら、請求項３に記載の発明の効果を得ることができる。
【００１３】
請求項５に記載の発明では、請求項３に記載の流体ポンプ装置において、前記弾性部材は、その外周に周方向に複数の突出部を有する略円筒状の弾性円筒部材であって、前記肉厚部は、周方向の一部の前記突出部が大きくされてなる突出肉厚部である。
【００１４】
同構成によれば、弾性部材は、その外周に周方向に複数の突出部を有する略円筒状の弾性円筒部材であって、肉厚部は、周方向の一部の突出部が大きくされてなる突出肉厚部であるため、簡単な形状の弾性部材としながら、請求項３に記載の発明の効果を得ることができる。又、保持部と弾性部材の接触部が周方向に複数点となるため、振動（力）が分散され、振動がインペラ部材からモータケースに伝わることが更に低減される。
【００１５】
請求項６に記載の発明では、請求項２に記載の流体ポンプ装置において、前記モータケースには、内周面が略円形の保持部が形成され、前記インペラシャフトは、略円柱状に形成され、前記弾性部材は、周方向に均等な形状の環状に形成され、前記保持部に内嵌され且つ前記インペラシャフトに外嵌されて径方向に圧縮された状態で保持され、前記保持部の内周面及び前記インペラシャフトの外周面の少なくとも一方における径方向の前記流出口側には、径方向に延びる凸設部が形成された。
【００１６】
同構成によれば、弾性部材は、周方向に均等な形状の環状に形成され、内周面が略円形とされた保持部に内嵌され且つ略円柱状のインペラシャフトに外嵌されて径方向に圧縮された状態で保持される。そして、保持部の内周面及びインペラシャフトの外周面の少なくとも一方における径方向の流出口側には、径方向に延びる凸設部が形成されるため、弾性部材は、インペラシャフトと流出口との間で弾性変形し難くなる。よって、弾性部材を単純な形状としながら請求項２に記載の発明の効果を得ることができる。
【発明の効果】
【００１７】
本発明によれば、インペラ部材のアンバランスやモータの磁気回路等に起因する振動がインペラ部材からモータケースに伝わることを低減することができ、更にインペラ部材の流出口側への変位量を小さく抑えることができる流体ポンプ装置を提供することができる。
【発明を実施するための最良の形態】
【００１８】
以下、本発明を具体化した一実施の形態を図１〜図３に従って説明する。図１に示すように、流体ポンプ装置は、モータ側ケース１と、モータ側カバー２と、ポンプ側ケース３と、モータとしてのモータ本体４と、インペラ部材５と、インペラシャフト６と、弾性部材及び弾性リング部材としてのモータ側弾性リング部材７及びポンプ側弾性リング部材８とを備える。尚、本実施の形態では、モータ側ケース１、モータ側カバー２及びポンプ側ケース３がモータケースを構成している。
【００１９】
モータ側ケース１は、樹脂材料よりなり、略円筒形状の円筒部１ａと、その内部を区画する区画壁１ｂとを備える。本実施の形態の区画壁１ｂは、図２に示すように、円筒部１ａの一方の開口側端部Ｋ１から径方向内側に延びる円盤部１ｃと、円盤部１ｃから円筒部１ａの他方の開口側（図１及び図２中、右側）に延びる小径筒部１ｄと、小径筒部１ｄの先端を閉塞する底部１ｅとからなる。この底部１ｅ中央には、円筒部１ａの一方の開口側（図１及び図２中、左側）に円筒状に延びる内周面が円形の保持部としてのモータ側保持部１ｇが形成されている。そして、モータ側ケース１には、区画壁１ｂに区画されることで、その内部に、モータ本体４を収容するためのモータ収容部１ｈと、後述するポンプ室Ｐの一部を構成するポンプ室構成部１ｉとが形成される。
【００２０】
前記円筒部１ａの他方の開口側（図１中、右側）に形成されるモータ収容部１ｈには、図１に示すように、モータ本体４が収容され、円筒部１ａの他方の開口側端部にはモータ側カバー２が固定される。本実施の形態のモータ本体４は、直流モータであって、ヨーク１１と、ヨーク１１の内周面に固定されたステータマグネット１２と、ステータマグネット１２の内側に配置されるアーマチャ１３とを備える。アーマチャ１３は、回転軸１４を有し、その回転軸１４の一端が前記区画壁１ｂの底部１ｅに固定された軸受１５に支持されるとともに他端が前記モータ側カバー２に固定された軸受１６に支持されることで回転可能に支持されている。又、回転軸１４の一端側には、カップリング磁石の一方である外輪磁石１７がカラーを介して固定されている。この外輪磁石１７は、回転軸１４の径方向外側に延びる円盤部１７ａと、円盤部１７ａの外縁から筒状に延びてモータ側ケース１の円筒部１ａと前記区画壁１ｂの小径筒部１ｄとの隙間に配置される筒部１７ｂとを備える。
【００２１】
ポンプ側ケース３は、樹脂材料よりなる。ポンプ側ケース３は、略円筒形状のポンプ筒部３ａと、ポンプ筒部３ａの一端側（図２中、左側）から内径が小さくなるように断面が湾曲して延びる湾曲部３ｂと、湾曲部３ｂの一端側から略円筒形状に延びる流入筒部３ｃと、ポンプ筒部３ａの周壁に形成された孔と外部とを連通すべく外側（図２中、紙面奥側）に延びる流出筒部３ｄとを備える。尚、本実施の形態では、流入筒部３ｃの先端部が流入口３ｅとされ、流出筒部３ｄの基端部（図２中、紙面手前側端部であって、ポンプ筒部３ａの内周面と対応した位置で開口した部分）が流出口３ｆとされている。
【００２２】
又、ポンプ側ケース３には、湾曲部３ｂの内壁（内面）から軸中心側及びポンプ筒部３ａの他端側（図２中、右側）に斜めに延びるリブ３ｇと、リブ３ｇの先端で軸中心上に配置される内周面が円形の保持部としてのポンプ側保持部３ｈとが形成されている。ポンプ側保持部３ｈは、反流入口側（図２中、右側）が開口した略有底円筒状に形成されている。尚、本実施の形態のリブ３ｇは、周方向に３つ（図１及び図２中、２つのみ図示）等角度間隔で形成されている。
【００２３】
そして、モータ側ケース１における円筒部１ａの一方の開口側端部Ｋ１にポンプ側ケース３におけるポンプ筒部３ａの開口側端部Ｋ２が固定されることで、前記ポンプ室構成部１ｉとポンプ側ケース３の内面とによりポンプ室Ｐが形成される。又、このとき、前記モータ側保持部１ｇと前記ポンプ側保持部３ｈとによりインペラシャフト６が支持される。
【００２４】
詳しくは、インペラシャフト６は、円柱状の金属材料よりなり、その両端がモータ側弾性リング部材７及びポンプ側弾性リング部材８を介してモータ側保持部１ｇとポンプ側保持部３ｈに支持（固定）されることで、（モータケースに対して）フロート支持される。
【００２５】
モータ側弾性リング部材７は、ゴム材料よりなる。モータ側弾性リング部材７は、断面が円形の環状に形成されるとともに、図３に示すように、その周方向の一部（本実施の形態では９０°の範囲）に、その断面の直径が他の部分である通常部７ａに比べて大きくされてなる肉厚部としての断面肉厚部７ｂを有する。このモータ側弾性リング部材７（通常部７ａ及び断面肉厚部７ｂ）は、その外径がモータ側保持部１ｇの内径より若干大きく設定され、その内径がインペラシャフト６の外径より若干小さく設定されている。そして、モータ側弾性リング部材７は、その断面肉厚部７ｂが、インペラシャフト６と流出口３ｆとの間に配置されるように（周方向の位置決めがなされて）、モータ側保持部１ｇに内嵌され且つインペラシャフト６に外嵌されて径方向に圧縮された状態で保持されている。即ち、モータ側弾性リング部材７は、インペラシャフト６と流出口３ｆとの間で（径方向の他の方向に比べて）弾性変形し難くなるように配設されている。尚、図３に示すモータ側弾性リング部材７は、モータ側保持部１ｇとインペラシャフト６との間に保持されていない（圧縮されていない）状態の単品図である。
【００２６】
又、本実施の形態のポンプ側弾性リング部材８は、モータ側弾性リング部材７と同様に（通常部８ａと断面肉厚部８ｂを有するように）形成され、その断面肉厚部８ｂが、インペラシャフト６と流出口３ｆとの間に配置されるように、ポンプ側保持部３ｈに内嵌され且つインペラシャフト６に外嵌されて径方向に圧縮された状態で保持されている。即ち、ポンプ側弾性リング部材８は、モータ側弾性リング部材７と同様に、インペラシャフト６と流出口３ｆとの間で（径方向の他の方向に比べて）弾性変形し難くなるように配設されている。これにより、インペラシャフト６は、モータケースに対して、径方向の流出口３ｆ方向に（径方向の他の方向に比べて）変位し難くなるように、フロート支持されている。
【００２７】
又、このとき（モータ側ケース１にポンプ側ケース３が固定されるとき）、ポンプ室Ｐ内には、インペラ部材５が収容される。詳しくは、インペラ部材５は、インペラ本体２１と、前記カップリング磁石の他方である内輪磁石２２と、軸受（メタル軸受）２３とを有する。
【００２８】
インペラ本体２１は、ポンプ筒部３ａの内側に配置されるインペラ部２１ａと、インペラ部２１ａから筒状に延びて前記ポンプ室構成部１ｉ（小径筒部１ｄとモータ側保持部１ｇ間）に配置されるインペラ筒部２１ｂとからなる。内輪磁石２２は、円筒状に形成され、インペラ筒部２１ｂの外周面に外嵌されて固定されている。軸受２３は、円筒状に形成され、インペラ部２１ａの中央孔内周面に内嵌されて固定されている。
【００２９】
そして、インペラ部材５は、軸受２３がインペラシャフト６に対して回転可能に外嵌されることで、回転可能に支持される。尚、モータ側保持部１ｇ及びポンプ側保持部３ｈの各開口側端部には、金属リング２４が設けられ、インペラ部材５は、軸受２３が金属リング２４と当接するとそれ以上の軸方向の移動が規制される。又、インペラ部２１ａは、環状に並んだ複数の羽部が連結されたものであって、回転されると、その軸方向に存在する流体を引き込むとともに径方向外側に放射するものである。
【００３０】
上記のように構成された流体ポンプ装置は、モータ本体４に電源が供給されると、アーマチャ１３が回転駆動される。すると、回転軸１４とともに外輪磁石１７が回転され、カップリング磁石である外輪磁石１７と内輪磁石２２との磁気作用によりモータ本体４の駆動力が非接触でインペラ部材５に伝達され、インペラ部材５が回転される。すると、流入筒部３ｃ側の流体がポンプ室Ｐ内に引き込まれるとともに流出口３ｆを介して流出筒部３ｄから放出される。
【００３１】
次に、上記実施の形態の特徴的な作用効果を以下に記載する。
（１）インペラ部材５を回転可能に支持するインペラシャフト６がモータケース（モータ側ケース１、モータ側カバー２及びポンプ側ケース３）に対してフロート支持されることで、インペラ部材５がモータケースに対してフロート支持される。よって、インペラ部材５のアンバランスやモータ本体４の磁気回路等に起因する振動がインペラ部材５からモータケースに伝わることが低減される。よって、例えば、流体ポンプ装置を備えた車両における室内の騒音等を低減することができる。しかも、インペラ部材５は、フロート支持されることで径方向への僅かな変位が許容されることになるが、径方向の流出口３ｆ方向に変位し難くなるようにフロート支持されるため、駆動中に流出口３ｆに向かう流体と共に流出口３ｆ側に向かう力がかかっても、変位し易さが周方向に均等な場合に比べて、流出口３ｆ側への変位量が小さく抑えられる。よって、インペラ部材５がモータケース（ポンプ室Ｐの内壁）に接触してしまうことを低減することができ、ひいては、そのことに起因する騒音（摺動音や衝突音）をも低減することができる。更に、インペラ部材５のモータケースへの接触に基づく変形や破損をも低減することができる。
【００３２】
（２）保持部としてのモータ側保持部１ｇ及びポンプ側保持部３ｈは、内周面が円形であるため単純な形状である。又、インペラシャフト６は、円柱状に形成されるだけであるため単純な形状である。又、弾性部材としてのモータ側弾性リング部材７及びポンプ側弾性リング部材８は、断面円形の弾性リング部材であって、その周方向の一部に、その断面の直径が他の部分である通常部７ａに比べて大きくされてなる肉厚部としての断面肉厚部７ｂを有するだけであるため、簡単な形状である。
【００３３】
（３）インペラシャフト６は、その両端側がそれぞれモータ側弾性リング部材７及びポンプ側弾性リング部材８を介してモータケースに固定されるため、一端側のみを弾性部材を介してモータケースに固定した（他端側を固定しない）ものに比べて、インペラシャフト６の倒れを良好に防止することができる。
【００３４】
上記実施の形態は、以下のように変更してもよい。
・上記実施の形態では、インペラシャフト６は、その両端側がモータ側弾性リング部材７及びポンプ側弾性リング部材８を介してモータケースに固定される（フロート支持される）としたが、これに限定されず、図４に示すように、インペラシャフト６の一端側（図４中、右側）のみがフロート支持される（他端側（図４中、左側）を支持しない）構成に変更してもよい。即ち、図４に示すように、上記実施の形態のポンプ側保持部３ｈ及びリブ３ｇを省略し、インペラシャフト６の一端側（図４中、右側）を一対のモータ側弾性リング部材７を介してモータ側保持部１ｇのみに固定（フロート支持）してもよい。尚、この例では、インペラシャフト６の他端側（図４中、左側）にＣリング２５が固定され、インペラ部材５は、軸受２３がＣリング２５と当接するとそれ以上の軸方向の移動が規制される。このようにすると、上記実施の形態に比べて、ポンプ側保持部３ｈ及びリブ３ｇがないため、流体の抵抗が低減され、高効率化を図ることができる。
【００３５】
・上記実施の形態では、弾性部材を断面円形のモータ側弾性リング部材７及びポンプ側弾性リング部材８としたが、これに限定されず、他の形状の弾性部材に変更してもよい。例えば、図５〜図７に示すように、上記実施の形態のモータ側弾性リング部材７を、その外周に周方向に複数（等角度間隔で８個）の突出部としてのモータ側突出部５１ａ（図６及び図７参照）を有する略円筒状のモータ側弾性円筒部材５１としてもよい。このモータ側弾性円筒部材５１では、周方向の一部（３個）のモータ側突出部が、他（５個）のモータ側突出部５１ａより大きくされてなる肉厚部及び突出肉厚部としてのモータ側突出肉厚部５１ｂとされている。又、この例では、上記実施の形態のポンプ側弾性リング部材８が、その外周に周方向に複数（等角度間隔で６個）の突出部としてのポンプ側突出部５２ａを有する略円筒状（略有底円筒状）のポンプ側弾性円筒部材５２とされている。このポンプ側弾性円筒部材５２では、周方向の一部（２個）のポンプ側突出部が、他（４個）のポンプ側突出部５２ａより大きくされてなる肉厚部及び突出肉厚部としてのポンプ側突出肉厚部５２ｂとされている。
【００３６】
そして、モータ側弾性円筒部材５１は、そのモータ側突出肉厚部５１ｂ（その３個の中央）が、インペラシャフト６と流出口３ｆとの間に配置されるように（周方向の位置決めがなされて）、モータ側保持部１ｊに内嵌され且つインペラシャフト６に外嵌されて径方向に圧縮された状態で保持されている。又、ポンプ側弾性円筒部材５２は、そのポンプ側突出肉厚部５２ｂ（その２個の中間）が、インペラシャフト６と流出口３ｆとの間に配置されるように（周方向の位置決めがなされて）、ポンプ側保持部３ｈに内嵌され且つインペラシャフト６の小径部６ａに外嵌されて径方向に圧縮された状態で保持されている。
【００３７】
このようにしても、インペラ部材５のアンバランスやモータ本体４の磁気回路等に起因する振動がインペラ部材５からモータケースに伝わることが低減される。よって、例えば、流体ポンプ装置を備えた車両における室内の騒音等を低減することができる。しかも、インペラ部材５は、フロート支持されることで径方向への僅かな変位が許容されることになるが、径方向の流出口３ｆ方向に変位し難くなるようにフロート支持されるため、駆動中に流出口３ｆに向かう流体と共に流出口３ｆ側に向かう力がかかっても、変位し易さが周方向に均等な場合に比べて、流出口３ｆ側への変位量が小さく抑えられる。よって、インペラ部材５がモータケース（ポンプ室Ｐの内壁）に接触してしまうことを低減することができ、ひいては、そのことに起因する騒音（摺動音や衝突音）をも低減することができる。更に、インペラ部材５のモータケースへの接触に基づく変形や破損をも低減することができる。
【００３８】
又、モータ側保持部１ｊとモータ側弾性円筒部材５１、及びポンプ側保持部３ｈとポンプ側弾性円筒部材５２の各接触部が周方向に複数点となるため、振動（力）が分散され、振動がインペラ部材５からモータケースに伝わることが更に低減される。
【００３９】
又、モータ側突出肉厚部５１ｂを含むモータ側突出部５１ａや、ポンプ側突出肉厚部５２ｂを含むポンプ側突出部５２ａは、周方向に等角度間隔で設けられるため、モータ側保持部１ｊやポンプ側保持部３ｈとの接触部が周方向に等角度間隔の複数点となり、振動がインペラ部材５からモータケースに伝わることがバランス良く低減される。
【００４０】
又、インペラシャフト６の両端側に配置されるモータ側弾性円筒部材５１とポンプ側弾性円筒部材５２は、モータ側突出肉厚部５１ｂを含むモータ側突出部５１ａと、ポンプ側突出肉厚部５２ｂを含むポンプ側突出部５２ａとの数が異なるため、振動（力）が更に分散され、振動がインペラ部材５からモータケースに伝わることが更に低減される。尚、勿論、モータ側突出肉厚部５１ｂを含むモータ側突出部５１ａや、ポンプ側突出肉厚部５２ｂを含むポンプ側突出部５２ａを、周方向に不等角度間隔で設けてもよいし、それらの数をそれぞれ変更してもよい。
【００４１】
・上記実施の形態では、モータ側弾性リング部材７及びポンプ側弾性リング部材８は、その周方向の一部に断面肉厚部７ｂ，８ｂを有し、その断面肉厚部７ｂ，８ｂがインペラシャフト６と流出口３ｆとの間に配置されるようにしてその間で弾性変形し難くしたが、他の構成でインペラシャフト６と流出口３ｆとの間で弾性変形し難くしてもよい。例えば、図８に示すように、上記実施の形態のモータ側弾性リング部材７及びポンプ側弾性リング部材８を、周方向に均等な形状の（断面肉厚部７ｂ，８ｂを有さない）環状に形成された弾性リング部材６１とする。そして、モータ側保持部１ｇ（ポンプ側保持部３ｈ）の内周面における径方向の流出口３ｆ側に、径方向内側に延びる凸設部１ｋを形成し、インペラシャフト６の外周面における径方向の流出口３ｆ側に、径方向外側に延びる凸設部６ｂを形成してもよい。このようにしても、弾性リング部材６１は、インペラシャフト６と流出口３ｆとの間で弾性変形し難くなる。又、勿論、前記凸設部１ｋを省略して前記凸設部６ｂのみとしてもよいし、前記凸設部６ｂを省略して前記凸設部１ｋのみとしてもよい。
【００４２】
・上記実施の形態のモータ側弾性リング部材７及びポンプ側弾性リング部材８における断面肉厚部７ｂ，８ｂ（流出口３ｆ側）の反対側にも、図９に示すように、同様の断面肉厚部７ｃ，８ｃを設けてもよい。このようにすると、インペラ部材５の流出口３ｆの反対側への変位量も小さく抑えられる。よって、インペラ部材５が流出口３ｆ側とその反対側とに繰り返し振れてしまうこと（その振動）が抑制される。
【００４３】
・上記実施の形態では、インペラ部材５を回転可能に支持するインペラシャフト６をモータケースに対してフロート支持させることで、インペラ部材５をモータケースに対してフロート支持したが、インペラ部材がモータケースに対してフロート支持されれば、これに限定されず、他の支持構造に変更してもよい。例えば、インペラシャフトをフロート支持せずリジッドでモータケースに固定し、そのインペラシャフトに対してインペラ部材を回転可能にフロート支持させてもよい。又、例えば、インペラ部材に一体回転する回転インペラシャフトを（インペラシャフト６に換えて）設け、その回転インペラシャフトをモータケースに対して回転可能にフロート支持させてもよい。
【００４４】
・上記実施の形態では、インペラシャフト６を弾性部材（モータ側弾性リング部材７及びポンプ側弾性リング部材８）を介してモータケースに固定することでフロート支持したが、弾性部材以外の部材を用いて、又は他の機構によりインペラ部材をフロート支持させてもよい。例えば、非接触で支持する磁気軸受でインペラ部材をモータケースに対してフロート支持してもよい。尚、この場合も勿論、インペラ部材が径方向の流出口方向に（径方向の他の方向に比べて）変位し難くなるように、フロート支持する必要がある。
【００４５】
・上記実施の形態では、モータ本体４のロータ（アーマチャ１３の回転軸１４）とインペラ部材５とに設けたカップリング磁石（外輪磁石１７と内輪磁石２２）により、モータ本体４の駆動力が非接触にて伝達されるとしたが、モータの駆動力が非接触にてインペラ部材に伝達されれば他の構成に変更してもよい。例えば、モータケースに固定されるモータのステータ（例えば、回転磁界を発生するブラシレスモータのステータ）に対し、インペラ部材にロータ（例えば、ロータマグネット）を設けることで、モータの駆動力を非接触にてインペラ部材に伝達してもよい。
【００４６】
上記各実施の形態から把握できる技術的思想について、以下にその効果とともに記載する。
（イ）請求項５に記載の流体ポンプ装置において、前記突出肉厚部を含む複数の前記突出部は、周方向に等角度間隔で設けられたことを特徴とする流体ポンプ装置。
【００４７】
同構成によれば、突出肉厚部を含む複数の突出部は、周方向に等角度間隔で設けられるため、保持部との接触部が周方向に等角度間隔の複数点となり、振動がインペラ部材からモータケースに伝わることがバランス良く低減される。
【００４８】
（ロ）請求項２乃至５及び上記（イ）に記載の流体ポンプ装置において、前記インペラシャフトの両端側が、それぞれ前記弾性部材を介して前記モータケースに固定されたことを特徴とする流体ポンプ装置。
【００４９】
同構成によれば、インペラシャフトは、その両端側がそれぞれ弾性部材を介してモータケースに固定されるため、一端側のみを弾性部材を介してモータケースに固定した（他端側を固定しない）ものに比べて、インペラシャフトの倒れを良好に防止することができる。
【００５０】
（ハ）請求項５に記載の流体ポンプ装置において、前記インペラシャフトの両端側が、それぞれ前記弾性部材を介して前記モータケースに固定され、前記インペラシャフトの両端側に配置される２つの前記弾性部材は、その一方と他方とで前記突出肉厚部を含む前記突出部の数が異なることを特徴とする流体ポンプ装置。
【００５１】
同構成によれば、インペラシャフトは、その両端側がそれぞれ弾性部材を介してモータケースに固定されるため、一端側のみを弾性部材を介してモータケースに固定した（他端側を固定しない）ものに比べて、インペラシャフトの倒れを良好に防止することができる。しかも、インペラシャフトの両端側に配置される２つの弾性部材は、その一方と他方で突出肉厚部を含む突出部の数が異なるため、振動（力）が更に分散され、振動がインペラ部材からモータケースに伝わることが更に低減される。
【図面の簡単な説明】
【００５２】
【図１】本実施の形態における流体ポンプ装置の要部断面図。
【図２】本実施の形態における流体ポンプ装置の要部拡大断面図。
【図３】本実施の形態におけるモータ側及びポンプ側弾性リング部材の平面図。
【図４】別例における流体ポンプ装置の要部拡大断面図。
【図５】別例における流体ポンプ装置の要部拡大断面図。
【図６】別例におけるインペラシャフトとモータ側及びポンプ側弾性円筒部材の分解斜視図。
【図７】別例におけるモータ側及びポンプ側弾性円筒部材の平面図。
【図８】別例における弾性リング部材とモータ側保持部とインペラシャフトの平面図。
【図９】別例におけるモータ側及びポンプ側弾性リング部材の平面図。
【符号の説明】
【００５３】
１…モータケースの一部を構成するモータ側ケース、１ｇ…モータ側保持部（保持部）、１ｋ…凸設部、２…モータケースの一部を構成するモータ側カバー、３…モータケースの一部を構成するポンプ側ケース、３ｆ…流出口、３ｈ…ポンプ側保持部（保持部）、４…モータ本体（モータ）、５…インペラ部材、６…インペラシャフト、６ｂ…凸設部、７…モータ側弾性リング部材（弾性部材及び弾性リング部材）、７ｂ，８ｂ…断面肉厚部（肉厚部）、８…ポンプ側弾性リング部材（弾性部材及び弾性リング部材）、５１…モータ側弾性円筒部材（弾性部材及び弾性円筒部材）、５１ａ…モータ側突出部（突出部）、５１ｂ…モータ側突出肉厚部（肉厚部及び突出肉厚部）、５２…ポンプ側弾性円筒部材（弾性部材及び弾性円筒部材）、５２ａ…ポンプ側突出部（突出部）、５２ｂ…ポンプ側突出肉厚部（肉厚部及び突出肉厚部）、６１…弾性リング部材（弾性部材）、Ｐ…ポンプ室。
【図１】
2008115785.tif 000003
【図２】
2008115785.tif 000004
【図３】
2008115785.tif 000005
【図４】
2008115785.tif 000006
【図５】
2008115785.tif 000007
【図６】
2008115785.tif 000008
【図７】
2008115785.tif 000009
【図８】
2008115785.tif 000010
【図９】
2008115785.tif 000011